(57)【要約】【課題】  積み木の基本形状を生かしつつ、傾斜した状態や、バランスを取る等、従来にない様々な奇抜な形状に組み上げることができる割に、安価に製造することの可能な積み木セットを提供することを目的とする。【解決手段】  平坦面Ｓ及びこの平坦面の含まれる面Ｓ’に直交する基準面Ｈに対し両面Ｇａ，Ｇａを対称的に傾斜させて設けたＶ溝Ｇを有し且つこのＶ溝Ｇの底Ｇｂが平坦面Ｓと平行である第１種のピースＰ１と、少なくとも一つの角部がＶ溝Ｇに嵌合し得るこの溝の長手方向視で直角に形成され且つ少なくとも角部の一面ＡｆがＶ溝Ｇにほぼ面接触する第２種のピースＰ２とを含む。【選択図】    図１
2004255162.tif 000002
【特許請求の範囲】
【請求項１】
平坦面（Ｓ）及びこの平坦面（Ｓ）の含まれる面（Ｓ’）に直交する基準面（Ｈ）に対し両面（Ｇａ、Ｇａ）を対称的に傾斜させて設けたＶ溝（Ｇ）を有し且つこのＶ溝（Ｇ）の底（Ｇｂ）が前記平坦面（Ｓ）と平行である第１種のピース（Ｐ１）と、少なくとも一つの角部（Ａ）が前記Ｖ溝（Ｇ）に嵌合し得るこの溝（Ｇ）の長手方向視で直角に形成され且つ少なくとも前記角部（Ａ）の一面（Ａｆ）がＶ溝（Ｇ）にほぼ面接触する第２種のピース（Ｐ２）とを含む積み木セット。
【請求項２】
前記角部（Ａ）の両面（Ａｆ、Ａｆ）が前記Ｖ溝（Ｇ）にほぼ面接触するものである請求項１に記載の積み木セット。
【請求項３】
前記角部（Ａ）の他面（Ａｒ）が前記Ｖ溝（Ｇ）にほぼ線接触する円筒面状である請求項１に記載の積み木セット。
【請求項４】
前記平坦面（Ｓ）に隣接する角部（Ａ）の稜線（Ａｂ）が前記Ｖ溝（Ｇ）の長手方向線（Ｇｂ）と平行である請求項１〜３のいずれかに記載の積み木セット。
【請求項５】
前記第２種のピース（Ｐ２）の一対の角部（Ａ）における前記一対の一面（Ａｆ）が互いに平行であり、この第２種のピース（Ｐ２）の同じ側に面している請求項１〜４のいずれかに記載の積み木セット。
【請求項６】
前記第２種のピース（Ｐ２）が２個の略４５度の角部（Ａ３）を合わせることで略直角となる２片のピースよりなる請求項１〜５のいずれかに記載の積み木セット。
【請求項７】
前記第２種のピース（Ｐ２）が前記平坦面（Ｓ）と前記Ｖ溝（Ｇ）とを有している請求項１〜６のいずれかに記載の積み木セット。
【請求項８】
前記第１種のピース（Ｐ１）の基本形状が立方体、直方体及び／又は円筒である請求項１〜７のいずれかに記載の積み木セット。
【請求項９】
前記第１種のピース（Ｐ１）の基本形状が半割円管体であり、前記Ｖ溝（Ｇ）が曲面の頂部に同円管の軸方向に沿わせて形成してある請求項１〜７のいずれかに記載の積み木セット。
【請求項１０】
前記第２種のピース（Ｐ２）の基本形状が二等辺三角形である請求項１〜７のいずれかに記載の積み木セット。
【発明の詳細な説明】
【技術分野】
【０００１】
本発明は、複数のピースを積み上げるように用いる積み木セットに関し、例えば、子どもの知育の発達や、障害者の手指のリハビリなどに好適な積み木セットに関するものである。
【背景技術】
【０００２】
従来の積み木玩具では、各種形状の木片が存在するが、単に木片を下から上へ積み重ねるに過ぎず、例えば水平面上に三角形ピースを倒立状態で積むことはできないことが通常であった。したがって、単純な組み上げしか行うことができず、想像力を膨らませ様々な組み上げを行うことが困難であった。一方、例えば次の特許文献１に記載の如く、各積み木の周壁に等間隔の凹凸を設けたものが提唱されている。
【特許文献１】特開平１１−３１９３３３号公報
【０００３】
しかし、凹凸を各積み木の各面に設けるのは煩雑であり、コスト高を招く原因となる。また、この積み木は、凹凸同士を嵌め合わせ組み上げていくとしても、積み木同士の各面を合わせる必要がある。したがって、各面を合わせるという意味においては従来の積み木とは何ら変わらず、組み上げのバリエーションに限界があった。
【発明の開示】
【発明が解決しようとする課題】
【０００４】
かかる従来の実状に鑑みて、本発明は、積み木の基本形状を生かしつつ、傾斜した状態や、バランスを取る等、従来にない様々な奇抜な形状に組み上げることができる割に、安価に製造することの可能な積み木セットを提供することを目的とする。
【課題を解決するための手段】
【０００５】
上記目的を達成するため、本発明に係る積み木セットの特徴は、平坦面及びこの平坦面の含まれる面に直交する基準面に対し両面を対称的に傾斜させて設けたＶ溝を有し且つこのＶ溝の底が前記平坦面と平行である第１種のピースと、少なくとも一つの角部が前記Ｖ溝に嵌合し得るこの溝の長手方向視で直角に形成され且つ少なくとも前記角部の一面がＶ溝にほぼ面接触する第２種のピースとを含むことにある。
【０００６】
同構成によれば、例えば図１（ａ）（ｂ）に示すように、第２種ピースＰ２の角部Ａが第１種のピースＰ１のＶ溝Ｇに嵌合するので、第２種のピースＰ２は第１種のピースＰ１に対し相対的に傾くこととなる。この傾きが、両ピースに微妙なバランスを生み出すと共に全体として複雑な形状を生じさせることとなる。
【０００７】
上記特徴に加え、前記角部の両面が前記Ｖ溝にほぼ面接触してもよい。また、前記角部の他面が前記Ｖ溝にほぼ線接触する円筒面状であってもよい。図１（ａ）に示す前者の構成のように、積み木の両面Ａｆ，ＡｆをＶ溝Ｇに面接触させて組み上げていくだけではなく、図１（ｂ）（ｃ）に示す後者の構成のように、円筒面Ａｒを組み上げに用いることができ、多彩な組み上げのバリエーションを生むこととなる。
【０００８】
上記いずれかの特徴に加え、例えば図１０（ｃ）に示すように、前記平坦面に隣接する角部の稜線Ａｂが前記Ｖ溝の長手方向線Ｇｂと平行であることが望ましい。同構成によれば、ピースを傾斜させた状態において、Ｖ溝Ｇに第２種のピースＰ２を嵌合させることができるので、微妙なバランスを保たれた奇抜な形状に組み上げることができる。
【０００９】
上記いずれかの特徴に加え、前記第２種のピースの一対の角部における前記一対の一面が互いに平行であり、この第２種のピースの同じ側に面してもよい。同構成によれば、例えば図１０（ａ）に示すように、一対の角部Ａ１，Ａ１に異なる第１種のピースＰ１，Ｐ１のＶ溝Ｇ，Ｇをそれぞれ嵌合させることができる。さらに、図１０（ｃ）に示すように、２個の第１種のピースＰ１，Ｐ１間に第２種のピースＰ２を掛け渡すことも可能であり、積み木の組み上げが横方向にも広がることとなる。
【００１０】
上記いずれかの特徴に加え、前記第２種のピースが２個の略４５度の角部を合わせることで略直角となる２片のピースよりなるものであってもよい。同構成によれば、図９（ｄ）に示すように、略４５度の角部Ａ３を有するピースを合わせればよく、第２種のピースＰ２に様々の形状のものを用いることができるので、組み合わせの幅を広げることができる。
【００１１】
上記いずれかの特徴に加え、第２種のピースが前記平坦面と前記Ｖ溝とを有していてもよい。同構成によれば、例えば図１（ｂ）に示すように、Ｖ溝に組み合わされる第１種のピースＰ１をさらに、第２種のピースＰ２として使用することができる。そして、図１０（ｃ）の縦長直方体ピース１Ａのように、半割円管ピース３のＶ溝Ｇに嵌合させられた縦長直方体ピース１ＡのＶ溝Ｇにさらに他の小三角形ピース４Ａが嵌合して嵌合の連鎖が生じ、少ないピースで多彩な組み合わせが可能となる。
【００１２】
上記いずれかの特徴に加え、前記第１種のピースの基本形状が立方体、直方体及び／又は円筒であることが望ましい。同構成によれば、図２、３に示す従来の積み木にＶ溝Ｇを設けることにより、例えば図１（ａ）（ｂ）に示すように、基本形状でありながら第２種のピースＰ２の角部を利用した従来とは異なる形状の組み合わせを行うことができる。
【００１３】
さらに、上記いずれかの特徴に加え、前記第１種のピースの基本形状が半割円管体であり、前記Ｖ溝が曲面の頂部に同円管の軸方向に沿わせて形成していてもよい。同構成によれば、図４に示す如き従来の基本形状とは異なるピースを加えることで、例えば図１０（ａ）〜（ｃ）に示す組み上げが可能となり、従来の積み上げよりさらに多くの組み上げのバリエーションを有することとなる。
【００１４】
また、上記いずれかの特徴に加え、前記第２種のピースの基本形状が二等辺三角形であることが望ましい。同構成によれば、直角角部をＶ溝に嵌合することができるので、図１（ａ）に示す如き従来なしえなかった倒立状態での組み上げが可能となる。
【発明の効果】
【００１５】
このように、上記本発明に係る積み木セットの特徴によれば、第１種のピースにＶ溝を形成するといった簡易な加工で安価に製造可能な割に、第２種のピースの角部を巧みに利用することができるようになった。この結果、縦に積み上げるだけの従来の積み木とは異なり奇抜な形状に組み上げることが可能となった。
【００１６】
本発明の他の目的、構成、効果については、以下の「発明の実施の形態」の欄で明らかになるであろう。
【発明を実施するための最良の形態】
【００１７】
次に、添付図面を参照しながら、本発明をさらに詳しく説明する。
本発明に係る積み木セットは、図２〜７に示すようなピースを含んでいる。また、各ピースは、ほぼ同一の厚みと、大略縦横比１：２という規則性を有し、図１２に示すような箱体１００に同一厚さとなるように複数個組み合わされて収納されている。本実施形態では、基準寸法を３５mm、その倍の基準倍寸法を７０mmとする。
【００１８】
積み木の種類としては、図１に示すように、後述するＶ溝Ｇを有する第１種のピースＰ１と、そのＶ溝Ｇに嵌合する第２種のピースＰ２とが存在する。但し、この種類は相対的なものであり、図１（ｂ）のようにＶ溝Ｇを有する第１種のピースＰ１が第２種のピースＰ２として用いられることもある。これら第１種のピースＰ１、第２種のピースＰ２を床や机等の水平な面Ｓ’に載置して、順次組み上げていく。
【００１９】
ここで、本発明に係る積み木セットの代表的なピースについて説明する。
まず、図２（ａ）に示す立方体ピース１は、一辺が基準寸法の立方体を呈し、平坦面Ｓをなす底面１１と平行な上面１２のほぼ中央にＶ溝１３が前後厚み方向にわたって刻設されている。対向する一対の面は互いに平行であり、底面１１，上面１２，側面１４，１４、前後面１５，１５間の各辺は直角の直線角部Ａ１を形成する。また、底面１１及び底面１１と隣接する直線角部の稜線Ａｂは、Ｖ溝の底Ｇｂと平行である。
【００２０】
図５に示す三角形ピース４は、全体が三角柱状を呈し、平坦面Ｓをなす底面４１と、平面Ａｆの斜面４２と、その斜面４２の一辺を等しい２辺とする直角二等辺三角形に形成され、互いに平行する平面Ａｆの前後面４５，４５とからなる。前後面４５，４５の等しい二辺はそれぞれ基準倍寸法、前後厚みは基準寸法である。底面４１と斜面４２により形成される辺は４５度の三角角部Ａ３を形成し、他の辺は直角の直線角部Ａ１を形成する。
【００２１】
上述の立方体ピース１と三角形ピース４は、図１（ａ）に示すように、立方体ピース１のＶ溝Ｇと三角形ピース４の直線角部Ａ１を嵌合させることで組み上げることができる。この場合、立方体ピース１が第１種のピースＰ１として、三角形ピース４が第２種のピースＰ２として用いられる。立方体ピース１に設けられたＶ溝Ｇは、溝面Ｇａと、溝底Ｇｂとからなる。溝面Ｇａは、平坦面Ｓに直交する基準面Ｈに対し対称的に傾斜角Ｃ１が約４５度となるよう傾斜してなる平面である。溝底Ｇｂは、溝面Ｇａ，Ｇａによりなる溝角Ｃ２が約９０度となるよう形成され、平坦面Ｓ及び平坦面Ｓと隣接する直線角部の稜線Ａｂと平行をなす。なお、Ｖ溝Ｇの深さは上面直角方向に対し６mmであり、以下同様とする。
【００２２】
そのＶ溝Ｇに、三角形ピース４の直線角部Ａ１を嵌合させる。直線角部Ａ１を形成する平面Ａｆ，Ａｆは、溝面Ｇａ，Ｇａと互いに面接触する。そして、三角形ピース４の重みは、溝面Ｇａ，Ｇａ両面に均一に加重され、バランスのとれた状態で組み上げを行うことが可能となる。
【００２３】
図２（ｂ）に示す縦長直方体ピース１Ａは、立方体ピース１の倍の高さとなる直方体を呈し、立方体ピース１の底面１１，上面１２と合同の底面１１Ａ，上面１２Ａを有する。上面１２Ａのほぼ中央にＶ溝１３と同一形状のＶ溝１３Ａが前後厚み方向にわたって刻設されている。底面１１Ａ及び上面１２Ａの一辺は基準寸法であり、高さは基準倍寸法である。
【００２４】
また、図２（ｃ）に示す幅厚直方体ピース１Ｂは、Ｖ溝Ｇｂの長手方向に対し立方体ピース１の倍の厚さとなる直方体を呈し、立方体ピース１の前後面１５，１５と合同の前後面１５Ｂ，１５Ｂと、底面１１Ｂ，上面１２Ｂを有する。上面１２Ｂのほぼ中央にＶ溝１３と同一形状のＶ溝１３Ｂが厚み方向にわたって刻設されている。底面１１Ｂ、上面１２Ｂ間の辺は基準寸法であり、Ｖ溝Ｇｂの長手方向に対する厚みは基準倍寸法である。縦長直方体ピース１Ａ及び幅厚直方体ピース１Ｂの各辺は、直角の直線角部Ａ１を形成し、底面１１Ａ，１１Ｂ及び底面１１Ａ，１１Ｂと隣接する直線角部の稜線Ａｂは、溝底Ｇｂと平行である。また、対向する一対の面Ａｆは互いに平行である。
【００２５】
図３（ａ）に示す円柱ピース２は、全体が円柱を呈し、平坦面Ｓをなす底面２１と、底面２１に平行な上面２２と、円筒面Ａｒに形成された側面２４とからなる。上面２２の直径に沿うようＶ溝２３が刻設されている。また、高さ及び底面２１，上面２２の直径は、共に基準寸法である。平面Ａｆと円筒面Ａｒにより形成される辺は直角の円弧角部Ａ２を形成する。
【００２６】
図４に示す半割円管ピース３は、全体が半割円管状を呈し、平坦面Ｓをなす底面３１と、その上部に円筒面Ａｒに形成された上面３４と、半円形状の平面Ａｆに形成され、互いに平行する前後面３５，３５とよりなる。上面３４の頂部にはＶ溝３３が半割円管の軸方向に沿って刻設され、底面３１の幅方向中央には、半割円管の軸方向に沿って半円柱状の切欠部３６が設けられている。Ｖ溝Ｇｂの長手方向に対する厚み及び切欠部３６の直径は基準寸法であり、底面３１の幅は基準倍寸法である。平面Ａｆ，Ａｆにより形成される辺は直角の直線角部Ａ１を形成する。また、平面Ａｆと円筒面Ａｒにより形成される辺は直角の円弧角部Ａ２を形成する。この円弧角部Ａ２の稜線Ａｂは溝底Ｇｂと平行である。
【００２７】
円柱ピース２と半割円管ピース３は、図１（ｂ）の示すように組み上げることができる。この場合、半割円管ピース３が第１種のピースＰ１として、円柱ピース２が第２種のピースＰ２として用いられる。半割円管ピース３に設けられたＶ溝Ｇは、上述の立方体ピース１のＶ溝Ｇと同様の構成であり、溝面Ｇａは、平坦面Ｓに直交する基準面Ｈに対し対称的に傾斜角Ｃ１が約４５度となるよう傾斜してなる平面である。この溝面Ｇａ，Ｇａによりなる溝角Ｃ２が約９０度となるＶ溝Ｇが形成される。溝底Ｇｂは、溝面Ｇａ，Ｇａにより溝角Ｃ２が約９０度となるよう形成され、平坦面Ｓ及び平坦面Ｓと隣接する円弧角部の稜線Ａｂとは平行をなす。
【００２８】
そのＶ溝Ｇに、円柱ピース２の円弧角部Ａ２を嵌合させると、円弧角部Ａ２を形成する平面Ａｆは対向する溝面Ｇａと面接触する。一方、図１（ｃ）に示すように、円弧角部Ａ２を形成する円筒面Ａｒは、溝面Ｇａと円筒面Ａｒの頂部と線接触する。円柱ピース２の重みは、溝面Ｇａと他方の溝面Ｇａと線接触する一辺とに均一に加重され、バランスのとれた状態で組み上げを行うことができる。
【００２９】
図３（ｂ）に示す縦長円柱ピース２Ａは、円柱ピース２の倍の高さとなる円柱を呈し、円柱ピース２の底面２１，上面２２と合同の底面２１Ａ，上面２２Ａと、円筒面Ａｆに形成される側面２４とからなる。上面２２Ａのほぼ中央には、Ｖ溝２３と同一形状のＶ溝２３Ａが上面２２Ａの直径に沿って刻設されている。平面Ａｆと円筒面Ａｒにより形成される辺は直角の円弧角部Ａ２を形成する。なお、高さは基準倍寸法である。
【００３０】
図６に示す切欠部付三角形ピース５は、上述の三角形ピース４とほぼ同一の形状、寸法である三角柱状を呈し、平坦面Ｓをなす底面５１と、平面Ａｆの斜面５２の一辺を等しい２辺とする直角二等辺三角形に形成され、互いに平行する平面Ａｆの前後面５５，５５とからなる。前後面５５，５５の中央部には切欠部５６が厚み方向に設けられている。この切欠部５６は直角二等辺三角形に形成されており、他のピースの角部を嵌合させることができる。切欠部５６の幅は基準寸法、切欠部５６を形成する等しい二辺はそれぞれ３６mmである。底面５１と上面５２により形成される辺は４５度の三角角部Ａ３をなし、斜面５２，５２により形成される辺及び前後面５５，５５の各辺は、直角の直線角部Ａ１を形成する。
【００３１】
図７に示す円筒ピース６は、中空円筒状を呈し、平坦面Ｓをなす底面６１と、底面６１と平行な上面６２と、円筒面Ａｒの側面６４とからなり、円筒中心部には円柱状の貫通孔６６を有している。上面６２には、上面６２の直径を沿って２本のＶ溝６３，６３が直交するように刻設されている。底面６１及び上面６２の直径は基準倍寸法、高さは基準寸法である。また、貫通孔６６の直径は３６mmであり、円柱ピース２及び縦長円柱ピース２Ａを挿入することができる。平面Ａｆと円筒面Ａｒにより形成される辺は直角の円弧角部Ａ２を形成する。
【００３２】
その他に図１２に示す小三角形ピース４Ａ、中三角形ピース４Ｂ、矢印型ピース７、半割円柱ピース８をも有する。小三角形ピース４Ａは、各辺の比が１：２となる三角形ピース４の相似形を呈している。中三角形ピース４Ｂは、三角形ピース４を直角の頂点から垂直方向に二等分した二等辺三角形状を呈している。矢印型ピース７は、三角形ピース４の直線角部Ａ１から小三角形ピース４Ａとほぼ同形の二等辺三角形状の切欠を設けた矢印状を呈している。また、半割円柱ピース８は、円柱ピース２と同一寸法の円柱を高さ方向に２分割した半割円柱状を呈している。
【００３３】
上述の各ピースの内、三角形ピース４及び小三角形ピース４Ａは第２種のピースＰ２として用いられるが、その他のピースは組み合わせにより、第１種のピースＰ１又は第２種のピースＰ２として用いられる。
【００３４】
次に、図８〜１１を参照しながら、積み木の使用例について説明する。
図８に示す第一使用例は、幅厚直方体ピース１Ｂを机等の水平面に置き、Ｖ溝１３Ｂの前方部に立方体ピース１の直線角部Ａ１を、Ｖ溝１３Ｂの後方部に三角形ピース４の縦長直方体ピース１Ａをそれぞれ嵌合させる。本使用例において幅厚直方体ピース１Ｂは第１種のピースＰ１として、立方体ピース１及び三角形ピース４は第２種のピースＰ２として用いられる。
【００３５】
図９（ａ）に示す第二使用例は、第１種のピースＰ１となる縦長直方体ピース１ＡのＶ溝１３Ａに第２種のピースＰ２となる立方体ピース１の直線角部Ａ１を嵌合させる。立方体ピース１は４５度傾き、Ｖ溝１３Ａに嵌合する直線角部Ａ１と対向する直線角部Ａ１’が頂点となる。図９（ｂ）に示す第三使用例は、第二使用例における直線角部Ａ１’に、第１種のピースＰ１となる半割円管ピース３のＶ溝３３を嵌合させている。また、図９（ｃ）に示す第四使用例は、第１種のピースＰ１の縦長直方体ピース１ＡのＶ溝１３Ａに第２種のピースＰ２の切欠部付三角形ピース５の直線角部Ａ１を嵌合させ、切欠部５６に円筒ピース６をバランスを取りながら嵌める。
【００３６】
図９（ｄ）に示す第五使用例は、まず、２個の切欠部付三角形ピース５の三角角部Ａ３を重ね合わせ略９０度の角部とする第２種のピースＰ２を形成する。その角部を水平面Ｓ’に載置した第１種のピースＰ１となる半割円管ピース３のＶ溝３３に嵌合させる。そして切欠部付三角形ピース５を保持しながら対向する上方の略９０度の角部に半割円管ピース３を嵌合させ組み上げる。なお、重ね合わせた切欠部付三角形ピース５の直線角部Ａ１を半割円管ピース３のＶ溝３３を嵌合させ組み上げてもよい。
【００３７】
図１０（ａ）に示す第六使用例は、第２種のピースＰ２となる縦長直方体ピース１Ａを水平面Ｓ’に載置し、上面１２Ａの一対の直線角部Ａ１，Ａ１に第１種のピースＰ１として２個の半割円管ピース３，３をそれぞれＶ溝３３，３３に嵌合させる。そして、半割円管ピース３，３が一対の直線角部Ａ１，Ａ１から外れないよう保持しつつ、底面３１と切欠部５６とが面接触するよう切欠部付三角形ピース５を載せる。半割円管ピース３が直線角部Ａ１から外れようとする力は、切欠部５６に左右対称に均等に加重されるため、バランスが保たれ組み上げることができる。
【００３８】
図１０（ｂ）に示す第七使用例は、半割円管ピース３を天地を逆に水平面Ｓ’に載置する。半割円管ピース３は、上面３４と溝面Ｇａにより形成される一対の支持部Ｆ，Ｆにより支持される。左右の底面３１上に立方体ピース１を溝底Ｇｂに対し対称となるよう載置し、さらに、立方体ピース１に小三角形ピース４Ａを嵌合させる。左右に乗せた立方体ピース１及び小三角形ピース４Ａの重みは、ほぼ均一に一対の支持部Ｆ，Ｆに掛かり、左右のバランスが保たれ積み上げることができる。本使用例において、立方体ピース１，１は第１種のピースＰ１として、小三角形ピース４Ａ，４Ａは第２種のピースＰ２として用いられる。
【００３９】
さらに、図１０（ｃ）に示す第八使用例では、２個の三角形ピース４，４を水平面Ｓ’に配置し、斜面４２に第１種のピースＰ１となる半割円管ピース３，３を支持させ、第２種のピースＰ２となる縦長直方体ピース１Ａの底面１１Ａの一対の直線角部Ａ１，Ａ１をＶ溝３３，３３に嵌合させる。その縦長直方体ピース１Ａに第１種のピースＰ１となる小三角形ピース４Ａを嵌合させ、さらに三角形ピース４を積み上げる。Ｖ溝３３と嵌合する一対の直線角部Ａ１，Ａ１において、直線角部Ａ１を形成する対向する側面１４Ａ，１４Ａは平行をなし、また、底面１１Ａは水平面Ｓ’と平行となる。そして、支えとなる２個の三角形ピース４を半割円管ピース３と離反させるよう引き抜く。組み上げたピースは倒れることなく、組み上げた状態を維持する。水平面Ｓ’と平行な溝面Ｇａには積み上げたピースの重みが掛かり、他方の溝面Ｇａには半割円管ピース３を中央部に横押しする力が働く。この横押しする力は、対向する溝面Ｇａ，Ｇａに反対方向に加重しているためバランスが保たれ、底面３１と上面３４よりなる一対の支持部Ｆ，Ｆにより支持される。
【００４０】
図１１に示す第九使用例は、適宜間隔に載置した一対の縦長直方体ピース１Ａ，１Ａに円柱ピース２，２をそれぞれ嵌合させる。円柱ピース２の対向する溝面Ｇａ，Ｇａは互いに平行となり、他方の溝面Ｇａ，Ｇａは水平面Ｓ’と平行となる。この水平面Ｓ’と平行をなす溝面Ｇａ，Ｇａに三角形ピース４の三角角部Ａ３を他方の溝面Ｇａに当接するよう載架させる。さらに、三角形ピース４の直線角部Ａ１に半割円管ピース３を嵌合させる。円柱ピース２の平面Ａｆの底面２１は溝面Ｇａと面接触する一方、円筒面Ａｒの側面２４は溝面Ｇａと線接触する。載架されたピースの重みは、左右のピースに均等に掛かり全体としてバランスを保つことができ、従来にはブリッジ形状に組み上げることができる。一対の縦長直方体ピース１Ａ，１Ａ及び半割円管ピース３は第１種のピースＰ１として、円柱ピース２，２及び三角形ピース４は第２種のピースＰ２として用いられる。
【００４１】
本発明における積み木の基準寸法及び基準倍寸法は３５mm、７０mm等に限定されるものではなく、相対的に定められるものであり、３５mmは基準長さ、７０mmは倍長さに相当する。また、各ピースは、木材の他プラスナック、コルク、Ｖ溝の強度を維持できるスポンジなど任意の素材で作成することができる。
【００４２】
最後に本発明のその他の実施形態の可能性について言及する。
上記実施形態の各使用例において、第１種のピースＰ１と、第２種のピースＰ２に用いるピースを定めた。しかし、第１種のピースＰ１と、少なくとも一つの角部を有する第２種のピースＰ２とを適宜組み合わせればよく、上記使用例の他、様々にバランスを保ちながら組み上げることもできる。そこでは、少なくとも一つのＶ溝と一つの角部とが嵌合していればよく、構造体のパターンは無数に考えられる。
【００４３】
また、上記実施形態において、Ｖ溝の深さを６mmとした。しかし、深さは６mmに限られない。ピースを組み上げる際のバランスは、Ｖ溝の深さを深くすれば取りやすく、浅くすれば取りにくくなるなり、用途、目的に合わせ適宜変更すればよい。
【００４４】
また、上記実施形態において、本発明に係る積み木セットは、図１２に示す如き構成とした。しかし、上記構成に限られず、第１種のピースＰ１、第２種のピースＰ２の数と種類はそれぞれ任意に選択できる。例えば、立方体ピース１と同一形状であって、Ｖ溝を有しないピースを第２種のピースＰ２として複数個含めてもよい。
【００４５】
また、上記実施形態において、各ピースは、大略縦横比１：２となる規則性を備えていた。しかし、１：３等整数倍の規則性を有するピースを用いてもよく、また、１：０．５となる半割のピースを用いてもよい。
【００４６】
さらに、上記実施例形態において、Ｖ溝の溝底Ｇｂ及び角部Ａの稜線Ａｂは大略として直角を形成すればよく、Ｖ溝と角部との嵌合に支障を来さない範囲において丸みを付与してもよい。
【００４７】
なお、特許請求の範囲の項に記入した符号は、あくまでも図面との対照を便利にするためのものにすぎず、該記入により本発明は添付図面の構成に限定されるものではない。
【産業上の利用可能性】
【００４８】
本発明にかかる積み木セットは、例えば、子供の知育玩具や、老人の痴呆症の予防や障害者等の手指のリハビリ等に利用することができる。さらに、形状を自在に変更できるオブジェとしても利用できる。
【図面の簡単な説明】
【００４９】
【図１】（ａ）、（ｂ）は、本発明に係る積み木セットのピースの原理を説明する要部正面図であり、（ｃ）は（ｂ）のＡ−Ａ断面図である。
【図２】（ａ）は、立方体ピースの斜視図であり、（ｂ）は、（ａ）の倍の高さの直方体ピースの斜視図であり、（ｃ）は、（ａ）の倍の前後厚さの直方体ピースの斜視図である。
【図３】（ａ）は、円柱ピースの斜視図であり、（ｂ）は、（ａ）の倍の高さの円柱ピースの斜視図である。
【図４】切欠部付半円形ピースの斜視図である。
【図５】三角形ピースの斜視図である。
【図６】切欠部付三角形ピースの斜視図である。
【図７】円筒ピースの斜視図である。
【図８】第一使用例を示す斜視図である。
【図９】（ａ）は、第二使用例を示す正面図、（ｂ）は第三使用例を示す正面図、（ｃ）は第四使用例を示す正面図、（ｄ）は第五使用例を示す正面図である。
【図１０】（ａ）は、第六使用例を示す正面図、（ｂ）は第七使用例を示す正面図、（ｃ）は第八使用例を示す正面図である。
【図１１】第九使用例を示す正面図である。
【図１２】本発明に係る積み木セットの収納状態を表す平面図である。
【符号の説明】
【００５０】
１：立方体ピース，１Ａ：縦長直方体ピース，１Ｂ：幅厚直方体ピース，２：円柱ピース，２Ａ：縦長円柱ピース，３：半割円管ピース，４：三角形ピース，４Ａ：小三角形ピース，４Ｂ：中三角形ピース，５：切欠部付三角形ピース，６：円筒ピース，７：矢印型ピース，８：半割円柱ピース，１１：底面，１２：上面，１３：Ｖ溝，１４：側面，１５：前後面，２１：底面，２２：上面，２３：Ｖ溝，２４：側面，３１：底面，３３：Ｖ溝，３４：上面，３６：切欠部，４１：底面，４２：斜面，４５：前後面，５１：底面，５２：斜面，５５：前後面，５６：切欠部，６１：底面，６２：上面，６３：Ｖ溝，６４：側面，６６：貫通孔，１００：箱体，Ｐ１：第１種のピース，Ｐ２：第２種のピース，Ｇ：Ｖ溝，Ｇａ：溝面，Ｇｂ：溝底，Ａ：角部，Ａ１，Ａ１’：直線角部，Ａ２：円弧角部，Ａ３：三角角部，Ａｆ：平面（一面），Ａｒ：円筒面（他面），Ａｂ：稜線，Ｃ１：傾斜角，Ｃ２：溝角，Ｆ：支持部，Ｓ：平坦面，Ｓ’：水平面，Ｈ：基準面
【図１】
2004255162.tif 000003
【図２】
2004255162.tif 000004
【図３】
2004255162.tif 000005
【図４】
2004255162.tif 000006
【図５】
2004255162.tif 000007
【図６】
2004255162.tif 000008
【図７】
2004255162.tif 000009
【図８】
2004255162.tif 000010
【図９】
2004255162.tif 000011
【図１０】
2004255162.tif 000012
【図１１】
2004255162.tif 000013
【図１２】
2004255162.tif 000014